(57)【要約】      （修正有）【課題】古事記に登場する神さまの特徴に沿った占い文を掲載してみくじ内容に反映させた日本の神話みくじを提供する。【解決手段】縦長の細長いみくじ箋２に、神さまをイメージした絵柄にその神さまの名前及び特徴を簡潔に説明した欄３と神さまの特徴を運勢に結びつけ神さまに触れて頂ける占い文を掲載した欄４と神さまをさらに詳しく知らせるために古事記の魅力を伝える説明文５を掲載した欄とを区分けして設ける。【選択図】図２
0003195721.tif 000002
【実用新案登録請求の範囲】
【請求項１】
古事記に登場する２０種の神さまの特徴に沿った占い文を掲載してみくじ内容に反映させた日本の神話みくじであって、縦長の細長いみくじ箋に、神さまをイメージした絵柄にその神さまの名前及び特徴を簡潔に説明した欄と、前記神さまの特徴を運勢に結びつけ神さまに触れて頂ける占い文を掲載した欄と、神さまをさらに詳しく知らせるために古事記の魅力を伝える説明文を掲載した欄と、を区分けして設けたことを特徴とする日本の神話みくじ。
【請求項２】
前記神さまをイメージした絵柄にその神さまの名前及び特徴を簡潔に説明した欄は、縦長の細長いみくじ箋の略中央に位置し、その絵柄は、神さまをイメージし、自然をモチーフにした色と柄で構成したことを特徴とする請求項１記載の日本の神話みくじ。
【請求項３】
前記神さまの特徴を運勢に結びつけ神さまに触れて頂ける占い文を掲載した欄は、前記神さまをイメージした絵柄にその神さまの名前及び特徴を簡潔に説明した欄の真下に位置し、神さまの特徴を夫々の運勢に結びつけた占い文で構成したことを特徴とする請求項１記載の日本の神話みくじ。
【請求項４】
前記神さまをさらに詳しく知らせるために古事記の魅力を伝える説明文を掲載した欄は、縦長の細長いみくじ箋の最下端に位置し、古事記についての説明文で構成したことを特徴とする請求項１記載の日本の神話みくじ。
【考案の詳細な説明】
【技術分野】
【０００１】
本考案は、日本の神話みくじに関するものであり、詳しくは、古事記に登場する神さまの特徴に沿った占い文を掲載してみくじの内容に反映させた日本の神話みくじに関する。
【背景技術】
【０００２】
古来よりおみくじは、神社、仏閣などの参拝時に記念や自身の運を知るために利用するものであり、広く一般に親しまれている。一般的な形態は、細長い紙片に、大吉、中吉、小吉、凶等の吉凶の表示とともに、金運、健康、恋愛、縁談、出産、旅行、転居等についての運勢が印刷され、周知のものである。おみくじを引く方法としては、番号が付されたおみくじ棒等を引いて、そこに付された番号のおみくじを受取るか、予め折り畳まれた紙片や丸められて棒状とされたおみくじを箱や引き出しから取り出す等の方法がある。そしてそのおみくじに印刷されている内容から運勢を確認し、確認した後のおみくじは、境内の木の枝や柵等に結びつけられることが多く、そのため木の枝や柵等に結び付けやすく、また、取り外しが容易なおみくじが知られている（例えば特許文献１参照）。
【先行技術文献】
【特許文献】
【０００３】
【特許文献１】特開２０１２−１６６５３５号公報
【考案の概要】
【考案が解決しようとする課題】
【０００４】
しかしながら、従来のおみくじは単におみくじを引いた人の運勢を記載しただけであったので、内容を確認すれば必要性がなくなり、境内の木の枝や柵等に結びつけて放置されるため、古くなったものは汚れたりして見た目も悪く、清掃管理上問題があった。
【０００５】
本考案は上記のような問題点に鑑みてなされたもので、古事記に登場する神さまの特徴に沿った占い文を掲載してみくじ内容に反映させた日本の神話みくじを提供することを目的とするものである。
【課題を解決するための手段】
【０００６】
上記目的を達成するため、請求項１の考案は、古事記に登場する２０種の神さまの特徴に沿った占い文を掲載してみくじ内容に反映させた日本の神話みくじであって、縦長の細長いみくじ箋に、神さまをイメージした絵柄にその神さまの名前及び特徴を簡潔に説明した欄と、神さまの特徴を運勢に結びつけ神さまに触れて頂ける占い文を掲載した欄と、神さまをさらに詳しく知らせるために古事記の魅力を伝える説明文を掲載した欄とを区分けして設けたことを特徴とするものである。
【０００７】
また、請求項２の考案は、請求項１記載の日本の神話みくじであって、神さまをイメージした絵柄にその神さまの名前及び特徴を簡潔に説明した欄は、縦長の細長いみくじ箋の略中央に位置し、その絵柄は、神さまをイメージし、自然をモチーフにした色と柄で構成したことを特徴とするものである。
【０００８】
また、請求項３の考案は、請求項１記載の日本の神話みくじであって、神さまの特徴を運勢に結びつけ神さまに触れて頂ける占い文を掲載した欄は、神さまをイメージした絵柄にその神さまの名前及び特徴を簡潔に説明した欄の真下に位置し、神さまの特徴を夫々の運勢に結びつけた占い文で構成したことを特徴とするものである。
【０００９】
また、請求項４の考案は、請求項１記載の日本の神話みくじであって、神さまをさらに詳しく知らせるために古事記の魅力を伝える説明文を掲載した欄は、縦長の細長いみくじ箋の最下端に位置し、古事記についての説明文で構成したことを特徴とするものである。
【考案の効果】
【００１０】
本考案に係る日本の神話みくじによれば、古事記に登場する２０種の神さまの特徴に沿った占い文を掲載しておみくじの内容に反映させた日本の神話みくじであって、縦長の細長いみくじ箋に、神さまをイメージした絵柄にその神さまの名前及び特徴を簡潔に説明した欄と、神さまの特徴を運勢に結びつけ神さまに触れて頂ける占い文を掲載した欄と、神さまをさらに詳しく知らせるために古事記の魅力を伝える説明文を掲載した欄とを備えたので、神社にお祀りされている日本の神さまとはどういう存在なのか、古事記とはどういう書物なのかを認識できるとともに、引いて選んだ神様の物語から今の自分に必要な事柄を示すことができる。
【図面の簡単な説明】
【００１１】
【図１】本考案に係る日本の神話みくじを示す正面図である。
【図２】本考案に係る日本の神話みくじを開いた状態を示す正面図である。
【図３】古事記に登場する２０種の神さまを表した図である。
【考案を実施するための形態】
【実施例】
【００１２】
以下、添付の図面に従って本考案を詳細に説明する。図１は本考案に係る日本の神話みくじを示す正面図、図２は図１に示した日本の神話みくじを開いた状態を示す正面図、図３は古事記に登場する２０種の神さまを表した図である。
【００１３】
本考案に係る日本の神話みくじ１は、図２に示すように、縦長の細長いみくじ箋２からなり、適宜折り畳むことにより、図１に示すように、「日本の神話おみくじ」というタイトルが表に出るように略長方形の形態となるよう構成される。
【００１４】
縦長の細長いみくじ箋２は、図２に示すように、神さまをイメージした絵柄にその神さまの名前及び特徴を簡潔に説明した欄３と、神さまの特徴を運勢に結びつけ神さまに触れて頂ける占い文を掲載した欄４と、神さまをさらに詳しく知らせるために古事記の魅力を伝える説明文を掲載した欄５に区分けされる。
【００１５】
神さまをイメージした絵柄にその神さまの名前及び特徴を簡潔に説明した欄３は、縦長の細長いみくじ箋２の略中央位置に設ける。古事記に登場する神さまは、図３に示すように、二十柱存在し、例えば、第三番のイザナギノミコト（伊邪那岐命）６は、「日本の島々と八百万の神さまを生んだ神さまであり、妻のイザナミさまを追って黄泉の国へ行き、穢れた体を清めた際に、アマテラスオオミカミさま、スサノオノミコトさま、ツクヨミノミコトさまが誕生した」という特徴を持つ神さまであるので、良縁をイメージした色と絵柄で欄３を創造した。
【００１６】
また、第五番のアマテラスオオミカミ（天照大御神）７は、「全ての人を見守ってくださる最も尊い神さま。弟のスサノオさまの乱暴に悲しみ、天の岩戸にこもってしまい、世界は真っ暗闇に。しかし八百万の神さまの尽力で、再び姿を現され、世界は光を取り戻しました」という特徴を持つ神さまであるので、明るい未来をイメージした色と絵柄で欄３を創造した。
【００１７】
神さまの特徴を運勢に結びつけ神さまに触れて頂ける占い文を掲載した欄４は、神さまをイメージした絵柄にその神さまの名前及び特徴を簡潔に説明した欄３の真下の位置に設ける。ここでは、大吉、中吉、小吉、凶等の吉凶の表示はなく、神さまの特徴を夫々の運勢に結びつけた占い文で構成する。例えば、第三番のイザナギノミコト（伊邪那岐命）６は、「良い縁に恵まれる時です」、「イザナギノミコトさまは日本で最初の夫婦神。あなたに良縁がもたらされる時です。日本の島々と八百万の神さまを生んだイザナギさまのように、恋愛に限らず学業や仕事の上でも多くの成果が生まれ、あなたの魅力が高まるでしょう。もし失敗する事があっても、深追いは禁物。気持ちを切り替えて、新しいチャンスを待ちましょう。」という神さまの特徴を引いた人の運勢に結びつけ、続いて、金運、病気、旅行、恋愛、方角、色等の個別の運勢について記載する。
【００１８】
神さまをさらに詳しく知らせるために古事記の魅力を伝える説明文を掲載した欄５は、縦長の細長いみくじ箋２の最下端の位置に設ける。ここでは、古事記とはどういう書物なのかを参拝者様に認識頂く説明文、例えば、「古事記は日本最初の歴史書です。世界のはじまりと日本の成りたちが描かれ、その中にはたくさんの神さまが登場し、ユニークな物語が繰り広げられます。自然災害が多い一方、自然の豊かな恵みに囲まれた日本。はるか昔から自然の神をおそれ敬い感謝してきた日本人が思い描いた、今も色あせない物語に、ぜひ触れてみてください。」という説明文を掲載する。
【００１９】
このように作られた日本の神話みくじは、神社に参拝した人が自分の運勢を占うためのものであり、参拝者は、みくじ棒と呼ばれる細長い{ HYPERLINK "http://ja.wikipedia.org/wiki/%E6%A3%92" \o "棒" ,棒}の入った{ HYPERLINK "http://ja.wikipedia.org/wiki/%E7%AD%92" \o "筒" ,筒}状の箱を振り、棒を一本取り出し、棒の端に付された番号と同じ番号のみくじを日本の神話みくじ１として受け取る。
【００２０】
受取った日本の神話みくじ１を開くと、縦長の細長いみくじ箋２の略中央位置の目立つ所に、神さまの名前を記した欄３があり、その背景は、神さまをイメージした色と絵柄でデザインされている。神さまの名前の横には、神さまについての簡潔な説明文があり、どんな事を成し遂げられた神さまかを明示している。
【００２１】
神さまの名前及び特徴を簡潔に説明した欄３の真下には、神さまの特徴を運勢に結びつけ神さまに触れて頂ける占い文を掲載した欄４があり、大吉、中吉、小吉、凶等の吉凶の代わりに神さまの特徴を夫々の運勢に結びつけた占い文と金運、病気、旅行、恋愛、方角、色等の個別の運勢が掲載される。
【００２２】
縦長の細長いみくじ箋２の最下端には、神さまをさらに詳しく知らせるために古事記の魅力を伝える説明文が掲載された欄５があり、神さまをイメージした絵柄にその神さまの名前及び特徴を簡潔に説明した欄３及び神さまの特徴を運勢に結びつけ神さまに触れて頂ける占い文を掲載した欄４とは一線を画し、かつ、書体の書き方、文字の大きさを変えている。
【００２３】
以上説明したように、本考案に係る日本の神話みくじによれば、縦長の細長いみくじ箋に、神さまをイメージした絵柄にその神さまの名前及び特徴を簡潔に説明した欄と、神さまの特徴を運勢に結びつけ神さまに触れて頂ける占い文を掲載した欄と、神さまをさらに詳しく知らせるために古事記の魅力を伝える説明文を掲載した欄とを備えたので、古事記に登場する２０種の神さまとはどういう存在なのか、古事記とはどういう書物なのかを認識できるとともに、引いて選んだ神様の物語から今の自分に必要な事柄を示すことができる。
【符号の説明】
【００２４】
１  日本の神話みくじ
２  日本の神話みくじを開いたみくじ箋
３  神さまをイメージした絵柄にその神さまの名前及び特徴を簡潔に説明した欄
４  神さまの特徴を運勢に結びつけ神さまに触れて頂ける占い文を掲載した欄
５  神さまをさらに詳しく知らせるために古事記の魅力を伝える説明文を掲載した欄
６  二十柱の神さまのうち第三番のイザナギノミコト
７  二十柱の神さまのうち第五番のアマテラスオオミカミ
【図１】
0003195721.tif 000003
【図２】
0003195721.tif 000004
【図３】
0003195721.tif 000005